(57)【要約】  本発明は、第１処理ユニット（７）と、第１メモリ装置（２１）と、第２メモリ装置（２２）を含むＳＩＭカードチップ（２３）とを有する移動端末（２０、３０）に関し、第２メモリ装置（２２）は再プログラム可能である。減じられた構成要素を有し、コストの低い、より低電力消費の廉価な移動端末を提供するために、第１メモリ装置（２１）が移動端末（２０、３０）の製造前に第１メモリ装置（２１）に格納された端末独立データを含み、個別移動端末固有データが移動端末（２０、３０）の製造後に第２メモリ装置（２２）内に格納される。
2007528656.tif 000002
【特許請求の範囲】
【請求項１】
第１処理ユニットと、第１メモリ装置と、第２メモリ装置を含むＳＩＭカードチップと、を有する移動端末であって、前記第２メモリ装置が再プログラム可能であり、前記第１メモリ装置が前記移動端末の製造前に前記第１メモリ装置に格納された端末独立データを含み、個別移動端末固有データが前記移動端末の製造後に前記第２メモリ装置内に格納される、移動端末。
【請求項２】
前記個別移動端末固有データと、ユーザおよびネットワーク固有データとが、いっしょに前記第２メモリ装置内に格納され、前記第２メモリ装置が、識別データ（ＩＭＥＩ、ＩＭＳＩ）を格納するためにさらに備えられる、請求項１に記載の移動端末。
【請求項３】
前記第１メモリ装置内に格納された前記端末独立データが、前記移動端末の存続期間中に変更されることのない、請求項１または２に記載の移動端末。
【請求項４】
前記第１メモリ装置が、読取り専用メモリで、またはフラッシュメモリ装置で実現され、且つ、オペレーションシステム、アプリケーションソフトウェア、固定データ、起動シーケンス、またはセキュリティ設定を格納するために備えられる、請求項１から３の一項に記載の移動端末。
【請求項５】
前記個別移動端末固有データが、前記個別移動端末）に依存する、較正値、前記移動端末の高周波部分の補正設定、あるいはデフォルト値を含む、請求項１−４の一項に記載の移動端末。
【請求項６】
前記第２メモリ装置が、製造後にデータを変更するために、インターフェースユニットを介して、または移動無線接続を介してアクセス可能である、請求項１−５の一項に記載の移動端末。
【請求項７】
前記ＳＩＭカードチップを含むＳＩＭカードが、製造中に唯一の移動端末に一意的に割り当てられ、前記移動端末がこのＳＩＭカードチップでしか操作することができず、このＳＩＭカードチップは移動端末に一意的である前記個別移動端末固有データを有する、請求項１−６の一項に記載の移動端末。
【請求項８】
前記ＳＩＭカードが、製造中に前記移動端末に機械的に結合され、前記個別移動端末固有データが、製造中に前記第２メモリ装置に格納されている、請求項７に記載の移動端末。
【請求項９】
前記第２メモリ装置を含む前記ＳＩＭカードチップが、前記移動端末における、プリント回路基板に置かれるかあるいはマルチパッケージチップに組み込まれ、製造前に固定されることのない前記移動端末を操作するための全データが前記第２メモリに格納されている、請求項１―６の一項に記載の移動端末。
【請求項１０】
移動端末を製造する方法であって、前記移動端末が、第１処理ユニットと、第１メモリ装置と、第２メモリを含むＳＩＭカードチップとを含み、端末独立データが前記第１メモリ装置に格納され、前記移動端末の組立てまたは製造後に備えられる必要がある前記個別移動端末固有データが、再プログラム可能なメモリ装置である前記第２メモリ装置に格納され、製造後に備えられる必要のある、前記移動端末を操作するためのデータもまた、前記第２メモリ装置に格納される、方法。
【発明の詳細な説明】
【技術分野】
【０００１】
本発明は、第１処理ユニットと、第１メモリ装置と、第２メモリ装置を有するＳＩＭカードチップとを有する移動端末に関する。さらに、本発明は、移動端末を製造する方法に関する。
【背景技術】
【０００２】
本発明は一般に、移動端末に関する。移動端末には異なる市場区分と異なるユーザグループが存在する。ビジネス分野で使用される移動端末は、多くの異なる機能、例えば、電話、組織化（ｏｒｇａｎｉｚｉｎｇ）、インターネットへのアクセス、電子メールクライアント、カメラ装置などを備えている。この種の移動端末が高価な装置であることは明らかである。反対に廉価な装置は、第１に電話に使用され、ことによるとメールの伝達（ｍｅｓｓａｇｉｎｇ）に使用されることもあるかもしれない。しかし、ほとんどの場合、これら廉価な移動端末は、廉価な移動端末には配置されないカメラなど追加の構成要素に加えて、高価な移動端末で使用されているのと同じアーキテクチャをもつ。
【０００３】
以下で、移動端末の一般的なアーキテクチャが説明される。移動端末は一般に、送受信ユニット、ディスプレイ、およびキーパッドを含む。さらに、デジタル信号処理ユニットが、各データの処理、符号化、および復号化に使用される。主処理ユニットは、ベースバンドプロセッサとも呼ばれ、移動端末の動作および移動端末の構成要素間の対話を制御している。いくつかの不揮発性メモリ装置が、異なる種類のデータを格納するために構成される。ブートまたは起動シーケンス（ｂｏｏｔ  ｏｒ  ｓｔａｒｔ−ｕｐ  ｓｅｑｕｅｎｃｅ）およびセキュリティ設定を格納するためのブートメモリがある。別の不揮発性メモリは、オペレーティングシステム、アプリケーションソフトウェア、および一般固定データ、例えばテーブルなどを格納するためのプログラムメモリである。さらに、ＳＩＭカードコントローラと、ネットワーク設定、割り当てられた電話番号、およびユーザ設定を格納するためのＳＩＭカードメモリと、を含むＳＩＭカードチップを、有するＳＩＭカードがある。また別の不揮発性メモリは、個別移動端末固有データ（individual mobile terminal specific data）を格納するために使用され、このデータは個別移動端末の個別構成要素を較正し、設定するのに必要なパラメータを含む。主処理ユニットは、揮発性ランダムアクセスメモリを使用して一時データを記憶する。ほとんどの場合、個別移動端末固有データと、オペレーティングシステムと、アプリケーションソフトウェアとを格納する不揮発性メモリは、フラッシュメモリ装置で実現される。この共通アーキテクチャが、廉価な移動端末と高価な端末の両方で使用されている。
【０００４】
米国特許出願公開２００３／００６６８８１  Ａ１号明細書は、機密情報（proprietary information）を移動電話のＳＩＭカードに格納する方法に関する。ＳＩＭカード上への異なる製品の情報の格納について記載されている。
【０００５】
廉価な移動端末は、主に移動無線ネットワークプロバイダのプリペイド装置として使用されるので、とりわけコスト抑制の対象である。一般的な課題は、より小型でより高速な、またより低電力消費でコストの低い移動端末を開発することである。
【発明の開示】
【発明が解決しようとする課題】
【０００６】
したがって、本発明の一目的は、移動端末と、簡略化したコストの低いアーキテクチャをもち、その結果廉価な移動端末となるような移動端末を製造する方法とを提供することである。
【課題を解決するための手段】
【０００７】
本発明の目的は、本明細書に記載の独立請求項に記述された特徴によって達成される。
【０００８】
さらに、本発明の有利な実施形態および実施形態が、それぞれの従属請求項で述べられる。
【０００９】
本発明は、移動端末を操作するのに必要な複数種のデータは、移動端末の組立てまたは製造前に固定される移動端末独立データ（mobile terminal independent data）と、さらに組立て後に設定されるべき可変データとに分けられてよいという考えに基づいている。この可変データは、個別移動端末固有データ、ユーザおよびネットワーク固有データ、ならびにセキュリティ設定を含む。個別移動端末固有データは、例えば製造後に個別移動端末の構成要素のパラメータなどを調整するのに必要である。ネットワーク固有データは、移動端末をある特定の移動無線ネットワーク内で操作するのに使用され、ユーザデータは例えば電話番号およびアドレスを含む。
【００１０】
本発明は、第１処理ユニットと、第１メモリ装置と、第２メモリ装置を有するＳＩＭカードチップとを有する移動端末を提供する。第１および第２メモリ装置は、不揮発性メモリに組み込まれる。第１メモリ装置は、端末独立データを格納する。これらの端末独立データは、移動端末の製造前あるいは製造中に格納される。個別移動端末固有データを含む可変データは、第２メモリ装置に格納される。第２メモリ装置は、ＳＩＭカードチップ上に置かれる。個別移動端末固有データは組立て過程後に格納されるが、別種の可変データを格納する時機は異なる。別種の可変データにはネットワークおよびユーザ依存データがあり、これらも第２メモリ装置に格納される。各移動端末は、ＳＩＭカードチップを有するＳＩＭカードを含み、ＳＩＭカードチップは必ずコントローラおよびメモリ装置を含むので、有利なことに、ＳＩＭカードが個別移動端末固有データを格納する第２メモリ装置として使用される。
【００１１】
異なる種類のデータをこのように割り当てることによって、必要な不揮発性メモリ装置の数が大いに減少される。本発明による移動端末は、２種類の異なる不揮発性メモリ装置しか必要としない。第１メモリ装置は、移動端末の製造前に固定されるデータを含む。第２メモリは、製造後に格納されるあらゆる種類のデータを格納する。第２メモリは、データの消去および復元を可能とする。可変データ、とくに個別移動端末固有データをＳＩＭカードチップ内にある第２メモリに格納することは、ＳＩＭカードチップに格納されたデータはチップカードコントローラによってさらに保護されるので、これらデータをより一層保護することになる。移動無線接続を介した終端間通信によりＳＩＭツールキットを介してこれらのデータにアクセスする可能性があるので、ＳＩＭカードチップ内にある第２メモリに可変データを格納することはさらに有利である。
【００１２】
端末独立データは、オペレーティングシステムおよびアプリケーションソフトウェアを含み、移動端末の存続期間中にオペレーティングシステムおよびアプリケーションソフトウェアを変更するようには意図されていない。具体的には、廉価な移動端末は、通常は高価な移動端末ほど長く使用されることがないので、オペレーティングシステムまたはアプリケーションソフトウェアをアップグレードする必要性はあまり優先されていない。したがって、これらのデータは移動端末の組立て前に固定される。またブートシーケンスおよび固定セキュリティ設定も組立て前に定義される。したがって、この種のデータを高価なＥＥＰＲＯＭに格納する必要はない。本発明によれば、これらのデータは、具体的には読取り専用メモリ装置である第１メモリ装置内に格納される。これらのメモリ装置はより安価であり、より高速なアクセス時間を有する。さらなる利点は、とくにオペレーティングシステムとアプリケーションシステムを同一のメモリに格納することにより達成される。これは、これらのデータがウィルスその他の攻撃の点でどんな変化に対しても保護されるので、セキュリティの強化となる。別法では、フラッシュメモリが、端末独立データを格納するのに使用されてよい。
【００１３】
メモリ要件のさらなる軽減が、個別移動端末固有データを第２メモリ装置に格納することによって達成される。したがって、すべての可変データは、組立てまたは製造後に決定されるため、ＳＩＭカードチップ内に置かれた第２メモリ装置に格納されてよいので、移動端末は、再プログラム可能で消去可能なメモリをどんな種類であれさらに追加としてもつ必要がない。
【００１４】
移動端末は、組立て後に較正される必要がある。移動端末のそれぞれの構成要素を較正するには、ある種の値が計測されなければならず、その計測された値に応じて、較正設定が実施される。例えば、送受信ユニットの共振回路が調節されなければならない。さらに、個別移動端末に依存する、移動端末の高周波部分の補正設定またはデフォルト値が設定される必要がある。データ量が極めて少ないので、これらのデータは、ネットワーク、ユーザおよび識別データと共に第２メモリ装置に格納される。このことは、改善されたセキュリティと終端間通信を介したデータ交換の可能性を提供する。
【００１５】
個別移動端末固有データを、それとは別のユーザおよびネットワーク依存データと共に第２メモリ装置に格納することによって、再プログラム可能なメモリ装置が１つしか必要でなくなるので、かかる移動端末の製造に要する費用が極めて安くなる。
【００１６】
インターフェースユニットを構成することは有利である。このインターフェースユニットを使用することによって、製造後に第２メモリ装置にデータを格納する可能性が生じる。
【００１７】
唯一の要件は、個別移動端末固有データを含んでいるＳＩＭカードチップが、製造中にその個別移動端末に割り当てられる必要があることである。この移動端末は、当該の移動端末に一意的である移動端末固有データを有する、この一意的なＳＩＭカードチップに関連してしか操作することができない。しかし、この不利な点は必ずしも不利ではない。なぜなら廉価な価格帯では、ＳＩＭカードを移動端末にバインドして、少なくとも所定の期間、ユーザにある特定の無線ネットワークプロバイダのＳＩＭカードを使用させるよう意図されているからである。
【００１８】
製造中に個別ＳＩＭカードを移動端末に機械的に結合することは有利である。この場合、個別移動端末固有データは、製造中に、ＳＩＭカードチップ上に置かれた第２メモリ装置に格納される。この機械による結合は、取り外しの難しいカバーでＳＩＭカードを覆うことによって達成されてよい。したがって、ＳＩＭカードには移動端末のカバーを取り外さなければアクセスすることができない。したがって、製造者は個別移動端末固有データをＳＩＭカード上に格納することができる。ネットワークプロバイダおよびユーザは、ユーザインターフェースを介して、または指定の道具を使用してカバーを取り外すことによって、第２メモリにアクセスすることができる。
【００１９】
ＳＩＭカード上に置かれた第２メモリ装置を有する移動端末は、ブートシーケンス、オペレーションシステム、およびアプリケーションソフトウェアを格納するために第１メモリ装置だけを必要とする。したがって、その結果、減じられた（reduced）構成要素を有し、コストの低い、より低電力消費の廉価な移動端末が備えられる。
【００２０】
さらに有利な実施形態では、移動端末はＳＩＭカードをもたない。ＳＩＭカードを使用する代わりに、ＳＩＭカードチップだけが使用される。ＳＩＭカードチップは移動端末のＰＣＢに結合される。通常はカードリーダを介してＳＩＭカード上に格納されるデータが、インターフェースユニットを介して、ＳＩＭカードチップ上に置かれた、消去可能でプログラム可能な第２メモリ装置内に格納される。この実施形態を用いることによって、移動端末とＳＩＭカードとの機械による結合が必要でなくなる。これにより、傷付き易い部位、例えばＳＩＭカードにアクセスするための接触部位を省くことになる。
【００２１】
本発明の目的はまた、移動端末を製造する方法によっても解決され、この場合、移動端末は第１処理ユニットと、第１メモリ装置と、第２メモリを含むＳＩＭカードチップとを含み、端末独立データは第１メモリ装置に格納され、個別移動端末固有データは、移動端末の組立てまたは製造後に備えられる必要があるため、再プログラム可能なメモリ装置である第２メモリ装置に格納され、製造後に備えられる必要のある、移動端末を操作するためのデータもまた第２メモリ装置に格納される。
【００２２】
本発明は、添付の概略図を参照しながら、以下で詳細に説明される。
【発明を実施するための最良の形態】
【００２３】
図１は、既知の移動端末１を表す。移動端末１は、基地局と通信するためのアンテナを有する送受信ユニット３とデジタル信号プロセッサＤＳＰ６とを含む。ディスプレイユニット４およびキーパッド５は、ユーザインターフェースを提供するために構成される。第１処理ユニット７は、ベースバンドプロセッサとも呼ばれる。ユニット７は、移動端末の動作および移動端末１の構成要素間の対話を制御する。第１処理ユニット７は、ＲＡＭ８を使用して一時的なデータを格納する。移動端末１は、ブートメモリ１０を使用してブートシーケンスおよび固定セキュリティ設定を格納する。このブートメモリ１０はＲＯＭである。別の不揮発性メモリは、プログラムメモリ１４であり、オペレーティングシステム、アプリケーションソフトウェア、および固定データを格納する。このメモリ１４は、ＲＯＭまたはフラッシュメモリで実現されてよい。ＳＩＭカード２は、カードホルダを介して移動端末１に結合される。ＳＩＭカードチップ２３上に格納されたデータにアクセスするための電気接触部位（図示せず）が、ＳＩＭカード２上に設けられている。ＳＩＭカードチップ２３は、カードコントローラ１２およびカードメモリ１３を含む。カードコントローラ１２は、ＳＩＭカード２と第１処理ユニット７との間でのデータ通信を制御する。カードメモリ１３は、ＳＩＭカードチップ２３上に置かれ、ネットワーク設定、自局電話番号、およびユーザ設定を格納する。個別移動端末固有データは、ＥＥＰＲＯＭまたはフラッシュ１１に格納され、このメモリは移動端末１内に置かれる。以上のアーキテクチャは、異なる不揮発性メモリ装置からなる複雑さを示している。具体的には、４つもの異なる不揮発性メモリ装置が使用され、それにより部品数とコストを増大させる。
【００２４】
本発明の好ましい実施形態が図２に示されている。移動端末２０も、カードコントローラ１２と第２メモリ装置２２とを含むＳＩＭカードチップ２３を有するＳＩＭカード２を組み込む。移動端末２０内の第１メモリ装置２１は、ＲＯＭメモリまたはフラッシュメモリで実現される。第１メモリ装置２１は、移動端末２０の組立て前にプログラムされる。第１メモリ装置２１に格納されるべきデータは固定され、個別移動端末２０から独立している。オペレーティングシステム、アプリケーションソフトウェア、ブートシーケンス、および固定セキュリティ設定が、第１メモリ装置２１に格納される。この種のデータは、特定モデルの移動端末においては同一である。この独創的な実施形態では、Ｂｏｏｔ  ＲＯＭ１（図１）とプログラムメモリ１４（図１）とを組み合わせることによって、第１不揮発性メモリが省かれ、それぞれのデータをいっしょにして第１メモリ装置２１に格納する。
【００２５】
組立て後、各移動端末２０は調整および較正がなされなければならない。様々な測定がなされ、その測定に応じて高周波部分の較正が実施されてよい。較正値、高周波部分の補正設定、あるいはデフォルト値、これらは個別移動端末によって変わる。これら個別移動端末固有データは、ＳＩＭカードチップ２３内にある第２メモリ２２に格納される。また個別セキュリティ設定（ＩＭＳＩ、ＩＭＥＩ）も設定される。これらのデータを格納した後、移動端末２０はネットワークプロバイダに渡されてよい。ネットワークプロバイダは、ＳＩＭカード２にそれぞれのネットワーク設定を格納する。さらに、製造現場で移動端末の組立て後、ネットワーク設定を第２メモリ２２に格納することも可能である。
【００２６】
その後、移動端末２０はエンドユーザに備えられてよい。エンドユーザは、どんな個別ユーザ設定でも第２メモリ２２に格納することができる。ユーザには、この一意的なＳＩＭカード２とでなければ移動端末２０は操作され得ないことが知らされなければならない。
【００２７】
図１に示した従来技術から知られている移動端末１と比較すると、図２に示した移動端末２０は、２つの不揮発性メモリ、すなわち第１メモリ装置２１とＳＩＭカード２上の第２メモリ装置２２のみを有する。
【００２８】
個別ＳＩＭカード２の紛失を防ぐため、製造中に個別移動端末固有データを格納した後に、またはネットワーク設定を格納した後に、ＳＩＭカード２は機械的に閉じこまれてよい。このことは、特別な道具を使用することによってのみ外され得るカバー（図示せず）を用いてＳＩＭカード２を隠蔽することによって達成されてよい。
【００２９】
移動端末２０はインターフェースユニット９を含む。このインターフェースユニット９は、データケーブルまたはＩＲまたはブルートゥース通信を使用することによる、機械的に閉じこまれたＳＩＭカード２へのアクセスを可能にする。したがって、ＳＩＭカードメモリ２２の再プログラミングは可能であるが、ＳＩＭカード２を取り外すことはできない。さらに、移動無線接続を使用した終端間通信を介する第２メモリ２２に格納されたデータへのアクセスも可能である。
【００３０】
図３は、本発明の代替実施形態を示す。この実施形態では、ＳＩＭカードをもたない移動端末３０が提供される。ＳＩＭカードチップ２３は、移動端末３０内のＰＣＢに結合される。独立データは第１メモリ装置２１内に格納され、組立て後に決定されるデータはすべて、ＳＩＭカードチップ２３内にある第２メモリ装置２２に格納されてよい。この第２メモリ装置２２は、ＥＥＰＲＯＭで実現され、インターフェースユニット９を介してアクセスされてよい。したがって、個別移動端末固有データ、ネットワーク設定、識別設定、およびユーザ設定は、製造現場で組立て後、販売業者またはエンドユーザによって第２メモリ装置２２に書き込まれる。さらに、第２メモリ２２を、いわゆるマルチパッケージチップ（ＭＣＰ）内の、例えば、第１処理ユニット７として示すベースバンドコントローラ内の、移動端末３０の集積回路に組み込むことも可能である。
【００３１】
独創的な移動端末を提供することによって、構成要素を減じ、コスト、および電力消費を低減する簡略化されたアーキテクチャが達成される。
【図面の簡単な説明】
【００３２】
【図１】従来技術から知られている移動端末のブロック図である。
【図２】本発明による移動端末のブロック図である。
【図３】本発明による移動端末の代替実施形態のブロック図である。
【図１】
2007528656.tif 000003
【図２】
2007528656.tif 000004
【図３】
2007528656.tif 000005
【国際調査報告】
2007528656.tif 000006
2007528656.tif 000007